(57)【要約】【課題】天井への取付けを簡易な構成で、安全で確実に行うことを可能にするスクリーン、およびスクリーン組立用キットを提供することである。【解決手段】スクリーン１は、映像光が投射されるスクリーン本体１００と、スクリーン本体１００を設置する天井５０に取り付けるフック部材２０と、フック部材２０と、天井５０に相対するスクリーン本体１００の面部１００Ｂとに接続され、スクリーン本体１００が落下することを防止する落下防止部材としての鎖３０と、面部１００Ｂに固定されると共に天井５０に当接する固定部材２００とを備える。また、スクリーン組立用キットは、スクリーン１を設置するために必要な上記の部材一式を備えている。【選択図】図１
2008058577.tif 000002
【特許請求の範囲】
【請求項１】
映像光が投射されるスクリーン本体と、
前記スクリーン本体を設置する天井に取り付けるフック部材と、
前記フック部材と、前記天井に相対する前記スクリーン本体の面部とに接続され、前記スクリーン本体が落下することを防止する落下防止部材と、
前記面部に固定されると共に前記天井に当接する固定部材とを備えることを特徴とするスクリーン。
【請求項２】
請求項１に記載のスクリーンであって、
前記固定部材は、伸縮自在に構成されていることを特徴とするスクリーン。
【請求項３】
請求項２に記載のスクリーンであって、
前記固定部材は、第１部材と第２部材とを有し、
前記第１部材は前記面部に固定され、前記第２部材は前記第１部材と回動自在に螺合することにより前記固定部材は伸縮し、前記第２部材が前記天井に当接することにより、前記スクリーン本体が前記天井に設置されることを特徴とするスクリーン。
【請求項４】
請求項１〜請求項３のいずれか一項に記載のスクリーンであって、
前記スクリーン本体の一辺に、照明光を遮る遮光部を備えることを特徴とするスクリーン。
【請求項５】
請求項１〜請求項４のいずれか一項に記載のスクリーンであって、
前記スクリーン本体の設置する角度を調整する角度調整部を備えることを特徴とするスクリーン。
【請求項６】
請求項４に記載のスクリーンであって、
前記角度調整部はモータを有し、当該モータが回動することにより、前記スクリーン本体の設置する角度を調整することを特徴とするスクリーン。
【請求項７】
映像光が投射されるスクリーン本体と、
前記スクリーン本体を設置する天井に取り付けるフック部材と、
前記フック部材と、前記天井に相対する前記スクリーン本体の面部とに接続され、前記スクリーン本体が落下することを防止する落下防止部材と、
前記面部に固定されると共に前記天井に当接する固定部材とを有することを特徴とするスクリーン組立用キット。
【発明の詳細な説明】
【技術分野】
【０００１】
本発明は、映像光が投射されるスクリーン、および、スクリーン組立用キットに関するものである。
【背景技術】
【０００２】
近年、プロジェクタの利用態様として、ソファやベッドに仰向けになった姿勢で、プロジェクタから天井に投射された映像を鑑賞することや、歯科病院で患者が治療用椅子に座った状態で、プロジェクタから天井に投射された映像を見ながら、医師から治療に関する説明を受けることなどが検討されている。
【０００３】
このような状況において、天井に設置するスクリーンに関して、特許文献１では、照明光が直接入射しない天井等にスクリーンを設置し、プロジェクタから投射された映像光は、反射ミラーで反射させて、スクリーン上に映像を映し出す。そして、観客は、反射ミラーを介してスクリーン上の映像を観るというものが開示されている。
また、特許文献２では、プロジェクタを歯科診療装置の、うがいスタンドに搭載すると共に診察室の天井または壁にスクリーンを設置し、プロジェクタの取付け角度を調整してスクリーンに映像を投射するものが開示されている。
【０００４】
【特許文献１】特開平０６−２４５１７５号公報（第２頁、第１図および第２図）
【特許文献２】特開平０９−３３８５４号公報（第２頁、第１図）
【発明の開示】
【発明が解決しようとする課題】
【０００５】
上記特許文献１および特許文献２によると、スクリーンを天井にどのように設置するのかは、ほとんど記載されていない。
【０００６】
本発明の目的は、上記課題に鑑みてなされたものであり、天井への取付けを簡易な構成で、安全で確実に行うことを可能にするスクリーン、およびスクリーン組立用キットを提供することを目的とする。
【課題を解決するための手段】
【０００７】
上述した目的を達成するために、本発明のスクリーンは、映像光が投射されるスクリーン本体と、スクリーン本体を設置する天井に取り付けるフック部材と、フック部材と、天井に相対するスクリーン本体の面部とに接続され、スクリーン本体が落下することを防止する落下防止部材と、面部に固定されると共に天井に当接する固定部材とを備えることを特徴とする。
【０００８】
このようなスクリーンによれば、フック部材が天井に取り付けられ、そのフック部材と、天井に相対するスクリーン本体の面部とに落下防止部材が取り付けられ、スクリーン本体の落下防止がなされる。そして、固定部材が、スクリーン本体の面部に固定されると共に天井に当接することにより、スクリーン本体が天井に固定される。従って、このような簡易な構成で、スクリーン本体を安全で確実に天井に設置することが可能となる。
【０００９】
また、上記スクリーンにおいて、固定部材は、伸縮自在に構成されていることが好ましい。
このようなスクリーンによれば、固定部材は、伸縮自在に構成されているため、固定部材を伸縮させ、天井に当接させることにより、スクリーン本体を安全で確実に天井に設置して固定することが可能となる。
【００１０】
また、上記スクリーンにおいて、固定部材は、第１部材と第２部材とを有し、第１部材は面部に固定され、第２部材は第１部材と回動自在に螺合することにより固定部材は伸縮し、第２部材が天井に当接することにより、スクリーン本体が天井に設置されることが好ましい。
【００１１】
このようなスクリーンによれば、固定部材は、第１部材と第２部材とを有して構成される。そして、第１部材がスクリーン本体の面部に固定される。そして、第２部材が第１部材と螺合して回動自在となる。その第２部材を第１部材に対して回動させて伸縮し、天井に当接させることにより、スクリーン本体が天井に設置される。従って、固定部材の第１部材と第２部材とが回動自在に螺合するという構成により、スクリーン本体を安全で確実に天井に設置することが可能となる。
【００１２】
また、上記スクリーンにおいて、スクリーン本体の一辺に、照明光を遮る遮光部を備えることが好ましい。
このようなスクリーンによれば、スクリーン本体が設置される室内において、室内に設置される照明装置などからの照明光を遮光部で遮ることにより、照明光がスクリーン本体の投射面を照明することを防ぐ。従って、スクリーン本体に投射される映像のコントラストを低下させることなく映像を見ることができ、投射される映像の視認性を向上させることができる。
【００１３】
上記スクリーンにおいて、スクリーン本体の設置する角度を調整する角度調整部を備えることが好ましい。
このようなスクリーンによれば、角度調整部でスクリーン本体の設置する角度を調整することにより、ユーザの所望する位置（見易い位置）にスクリーン本体の角度を調整することができるため、スクリーン本体に投射させる映像をユーザに対して見易くさせることができ、スクリーンの利便性を向上させることができる。
【００１４】
上記スクリーンにおいて、角度調整部はモータを有し、当該モータが回動することにより、スクリーン本体の設置する角度を調整することが好ましい。
このようなスクリーンによれば、角度調整部はモータを有し、そのモータが回動するという簡易な構成で、角度調整が行なえる。
【００１５】
また、上述した目的を達成するために、本発明のスクリーン組立用キットは、映像光が投射されるスクリーン本体と、スクリーン本体を設置する天井に取り付けるフック部材と、フック部材と、天井に相対するスクリーン本体の面部とに接続され、スクリーン本体が落下することを防止する落下防止部材と、面部に固定されると共に天井に当接する固定部材とを有することを特徴とする。
【００１６】
このようなにスクリーン組立用キットによれば、スクリーン本体をはじめ、スクリーンの組立てに必要な部材が一式揃うため、ユーザは、直ちにスクリーンの設置作業が行なえる。また、自分の好みの場所に、簡単にスクリーンを設置することができる。
【発明を実施するための最良の形態】
【００１７】
以下、本発明の実施形態を図面に基づいて説明する。
なお、各図面に図示される各部材の外形寸法は、部材の構成や動作などの理解を助けるために適宜設定した外形寸法として図示しており、実際の外形寸法とは異なっている。
（第１実施形態）
【００１８】
図１は、本発明の第１実施形態に係るスクリーンの概略側面図である。なお、図１は、図面右側の固定部材２００は側面図で表し、左側は、断面図で表している。図２は、スクリーンを天井側から見た部分的な概略斜視図である。なお、図２は、固定部材２００の組立ても示している。
【００１９】
図１に示すように、スクリーン１は、スクリーン本体１００と、固定部材２００と、フック部材２０と落下防止部材としての鎖３０とを備えて構成され、設置面となる天井５０に設置され固定される。
【００２０】
図１、図２を用いて、スクリーン１の詳細な構成と天井５０への設置の方法を合せて説明する。
スクリーン本体１００は、四辺形をした板形状をなしている。そのスクリーン本体１００を天井５０に設置する場合、設置するスクリーン本体１００の四隅のコーナ部内側４ヶ所に相対する天井５０の面に、フック部材２０を取り付ける。
【００２１】
なお、スクリーン本体１００の天井５０と相対する面側となる面部１００Ｂの四隅のコーナ部内側４ヶ所には、別のフック部材４０が固定され、各々のフック部材４０には、落下防止部材としての鎖３０が接続されている。また、同様に、スクリーン本体１００の面部１００Ｂの四隅のコーナ部で、フック部材４０が固定された内側４ヶ所に、固定部材２００が固定されている。
【００２２】
このフック部材４０に接続された鎖３０を、天井５０の面に取り付けた各々対応するフック部材２０に取り付ける（引掛ける）ことにより、スクリーン本体１００を天井５０に吊り下げる。ここで、１つのフック部材２０に鎖３０を引掛けた後は、スクリーン本体１００から一旦手を離してもスクリーン本体１００が落下することがないため、残りの鎖３０を相対するフック部材２０に引掛けることは容易となる。
【００２３】
次に、固定部材２００を用いて、スクリーン本体１００を、天井５０と平行方向の位置を固定する。固定部材２００は、第１部材２１０と第２部材２２０との２体で構成されている。また、第１部材２１０は、筒形状の支柱２１１と、その一端側に形成されたフランジ２１２とで構成されている。なお、支柱２１１の筒形状をした内面側には、所定のピッチでネジ切りが施されたネジ部２２１Ａが形成されている。また、支柱２１１の外面側は、把持部２１１Ｂが形成されている。また、第１部材２１０のフランジ２１２は、スクリーン本体１００と固定されている。
【００２４】
また、第２部材２２０は、円柱形状の支柱２２１と、その一端側に形成されたフランジ２２２とで構成されている。なお、支柱２２１のフランジ２２２側とは逆方向となる端部には、第１部材２１０のネジ部２２１Ａと螺合するように、ネジ部２２１Ａと同様のピッチで形成されたネジ部２２１Ａが形成されている。また、支柱２２１のフランジ２１２側の外面は、把持部２２１Ｂが形成されている。なお、第２部材２２０は、第１部材２１０のネジ部２１１Ａとネジ部２２１Ａとが螺合することにより、第２部材２２０自体は、第１部材２１０に対して回動自在となっている。
【００２５】
ここで、スクリーン本体１００には、予めスクリーン本体１００に固定されている第１部材２１０に第２部材２２０を螺合させ、また、第１部材２１０と第２部材２２０とを螺合させた時のフランジ２１２，２２２間の長さを、鎖３０の長さに比べて僅かに短くなるように設定してある。言い換えれば、スクリーン本体１００の鎖３０をフック部材２０に引掛けてスクリーン本体１００を天井５０に吊るした状態では、第２部材２２０のフランジ２２２と天井５０との間には隙間ができるように設定されている。
【００２６】
そこで、この第２部材２２０を回転させることにより、第２部材２２０のフランジ２２２の天面２２２Ａを天井５０に当接させる。詳細には、一方の手で第１部材２１０の把持部２１１Ｂを把持し、他方の手で第２部材２２０の把持部２２１Ｂを把持して図１に示す矢印Ａの方向に第２部材２２０を回転させる。それにより、第２部材２２０を図１に示す矢印Ｂの方向に移動させることができる。そして、第２部材２２０のフランジ２２２の天面２２２Ａを天井５０に当接させる。また、フランジ２２２の天面２２２Ａが天井５０に当接した後、多少の力で、第２部材２２０を更に回転させ、フランジ２１２の天面２２２Ａが天井５０を押圧するようにする。これにより、スクリーン本体１００は、鎖３０のみにより吊り下げられていた状態に対して、天井５０と平行方向の位置を固定することができる。このようにして、スクリーン本体１００を天井５０に対して設置し固定することができる。
【００２７】
なお、図２では、固定部材２００の第２部材２２０を回動させ第１部材２１０と分離させた状態を示している。なお、第２部材２２０は、第１部材２１０に対して回動自在に螺合することにより、固定部材２００として伸縮自在の形態となっている。
【００２８】
上述した、第１実施形態によれば以下の効果が得られる。
（１）本実施形態のスクリーン１によれば、フック部材２０が天井５０に取り付けられ、そのフック部材２０と天井５０に相対するスクリーン本体１００の面部１００Ｂとに落下防止部材としての鎖３０が取り付けられ、スクリーン本体１００の落下防止がなされる。そして、固定部材２００が、スクリーン本体１００の面部１００Ｂに固定されると共に天井５０に当接することにより、スクリーン本体１００が天井５０に固定される。従って、このような簡易な構成で、スクリーン本体１００を安全で確実に天井５０に設置することが可能となる。
【００２９】
（２）また、本実施形態のスクリーン１によれば、固定部材２００は、第１部材２１０と第２部材２２０とを有して構成される。そして、第１部材２１０がスクリーン本体１００の面部１００Ｂに固定される。そして、第２部材２２０が第１部材２１０と螺合して回動自在となる。その第２部材２２０を第１部材２１０に対して回動させることにより伸縮自在とし、天井５０に当接させることにより、スクリーン本体１００が天井５０に設置される。従って、固定部材２００の第１部材２１０と第２部材２２０とが回動自在に螺合するという構成により、スクリーン本体１００を安全で確実に、また、簡単に天井５０に設置することが可能となる。
【００３０】
（３）また、固定部材２００は、スクリーン本体１００の四隅のコーナ部に各々１つ（合計４つ）固定されているため、スクリーン本体１００を天井５０に設置する際、スクリーン本体１００の面部１００Ｂの奥に（中心側に）手を入れて作業する必要がなく、スクリーン本体１００の外周側で固定部材２００の伸縮作業を行うことができるため、設置作業性を向上させることができる。また、スクリーン本体１００の外周側で固定部材２００の伸縮作業を行うことができるため、天井５０とスクリーン本体１００との距離を接近させて設置することが可能となり、距離が離れている場合に比較して、振動や衝撃等に対する安全性が向上すると共に、天井５０との一体感も増すことになり、見栄えが良いスクリーン１を提供することができる。
【００３１】
（４）また、本実施形態のスクリーン１によれば、スクリーン本体１００の取付け部材となるフック部材２０、鎖３０、固定部材２００が、スクリーン本体１００の下方向に位置するユーザには見え難いため、見栄えが良いスクリーン１を提供することができる。
（第２実施形態）
【００３２】
図３は、本発明の第２実施形態に係るスクリーンの概略斜視図である。なお、図３は、下方向から天井５０を見た場合の斜視図である。なお、本実施形態は、前述した第１実施形態と構成は同様であり、異なる箇所は、スクリーン本体１００の一辺に遮光部１７０を備えたことである。図３を参照して、スクリーン１の有する遮光部１７０の構成と動作を説明する。
【００３３】
図３に示すように、天井５０には、照明装置５５が設置されており、この照明装置５５から射出される照明光（図中の矢印で照明光のイメージを示す）により、スクリーン１が設置される室内が照明されている。そして、スクリーン本体１００の照明装置５５側に相対する一辺に遮光部１７０が備えられている。
【００３４】
詳細には、遮光部１７０は、スクリーン本体１００の照明装置５５側に相対する一辺に備えられる。遮光部１７０は、ヒンジ部１７１と遮光板１７２とで構成される。そして、ヒンジ部１７１は、スクリーン本体１００の照明装置５５側に相対する一辺の端部の両端に設置され固定される。また、遮光板１７２は、スクリーン本体１００の一辺の長さと略同じ長さで、所定の幅を有して形成される。
【００３５】
そして、遮光板１７２の両端のコーナ部が、ヒンジ部１７１と接続され固定される。これにより、遮光板１７２は、ヒンジ部１７１を介して、スクリーン本体１００と接続され、ヒンジ部１７１に軸支される構成となる。
【００３６】
この構成により、遮光板１７２は、ヒンジ部１７１に軸支され、回動可能となる。そして、ヒンジ部１７１は、遮光板１７２が回動した位置で、遮光板１７２を固定することができる。従って、ユーザが遮光板１７２を適宜回動させると、その位置で遮光板１７２を固定保持することができる。
【００３７】
上述した、第２実施形態によれば、第１実施形態での効果に加えて、以下の効果が得られる。
（１）本実施形態のスクリーン１によれば、スクリーン本体１００の照明装置５５側に相対する一辺に遮光部１７０を備えたため、照明装置５５からの照明光がスクリーン本体１００の映像の投射面１００Ａを照明することを遮ることができ、投射面１００Ａに投射される映像のコントラストを低下させることなく映像を見ることができ、投射される映像の視認性を向上させることができる。
（第３実施形態）
【００３８】
図４は、本発明の第３実施形態に係るスクリーンの概略側面図である。図５は、スクリーンの回路ブロック図である。なお、本実施形態のスクリーン２は、前述した第１実施形態でのスクリーン１の設置に必要な構成は同様であり、異なる箇所は、モータ３３０などを利用して、スクリーン本体５００の設置する角度を調整する角度調整部３００を備えたことである。図４、図５を参照して、スクリーン２の有する角度調整部３００の構成と動作を説明する。
【００３９】
最初に、図４、図５を参照して、角度調整部３００の構成を説明する。
角度調整部３００の回路系は、制御回路部３１０と、駆動回路部３２０と、モータ３３０と、受光センサ部３４０と、バッテリ部３５０とを有して構成される。なお、角度調整部３００の回路系は、リモコン（リモートコントローラ）３８０からの信号を受信して角度調整動作を行う。
【００４０】
制御回路部３１０は、リモコン３８０からの信号を受光センサ部３４０で受信したか否かを判断する。そして、制御回路部３１０が、リモコン３８０からの信号を受光センサ部３４０で受信したと判断した場合には、制御回路部３１０は、駆動回路部３２０に、受信した信号に従った回動をモータ３３０に行わせるための信号を送信する。駆動回路部３２０は、制御回路部３１０からの信号を受信して、受信した信号に基づいて、モータ３３０を回動させる。なお、リモコン３８０は、ＵＰキースイッチ３８１と、ＤＯＷＮキースイッチ３８２とを有して構成されている。なお、バッテリ部３５０は、角度調整部３００の回路系を構成する各部に電源を供給している。
【００４１】
スクリーン２の天井５０への設置構成は、第１実施形態でのスクリーン１と同様であるため。スクリーン２の設置に関しての説明は省略する。以降では、スクリーン本体５００の構成を説明して、次に、スクリーン２の有する角度調整部３００の機構系の構成および動作に関しての説明を、回路系を含めて行なう。
【００４２】
スクリーン本体５００の構成を説明する。
本実施形態のスクリーン本体５００は、スクリーン本体５００を天井５０に設置して固定するための基礎となる固定用枠体５１０と、プロジェクタなどからの映像光を投射されて面上に映像として結像させる投射用枠体５２０と、固定用枠体５１０の一辺側で、固定用枠体５１０と投射用枠体５２０とを連設して軸支する軸支部５３０とで構成されている。この構成により、投射用枠体５２０は、軸支部５３０により軸支され、固定用枠体５１０に対して回動自在となっている。
【００４３】
次に、スクリーン２の有する角度調整部３００の機構系の構成に関しての説明を、回路系を含めて行なう。
角度調整部３００の機構系は、回路系を含めてスクリーン本体５００の天井５０と相対する面部５１０Ａに設置される。詳細には、固定用枠体５１０の面部５１０Ａには、角度調整部３００を構成する回路系の制御回路部３１０と、駆動回路部３２０と、モータ３３０と、バッテリ部３５０とが設置される。また、機構系として、プーリ３６０が設置されている。また、固定用枠体５１０の端面部に受光センサ部３４０を設置している。そして、モータ３３０のシャフトには、ワイヤ３７０が接続されており、このワイヤ３７０は、プーリ３６０を経由して、投射用枠体５２０の軸支部５３０側とは逆側の端部に固定されている。
【００４４】
次に、スクリーン２の有する角度調整部３００の動作に関して説明する。
図４に示す回動位置（回動角度）で投射用枠体５２０が固定されており、リモコン３８０のＵＰキースイッチ３８１がユーザにより押下された場合の動作を前提として説明する。
【００４５】
リモコン３８０のＵＰキースイッチ３８１が押下された場合の信号を受光センサ部３４０が受信し、制御回路部３１０で、ＵＰキースイッチ３８１が押下されたと判断された場合、制御回路部３１０は、駆動回路部３２０に、投射用枠体５２０を巻き上げるための信号を送信する。駆動回路部３２０は、投射用枠体５２０を巻き上げるための信号を受信すると、モータ３３０に投射用枠体５２０を巻き上げるための方向に回転するための駆動信号を送信する。モータ３３０は、その受信した信号に基づいて回転を開始する。
【００４６】
モータ３３０は、具体的には、図示する矢印方向（右方向）に回転する。それにより、ワイヤ３７０は、モータ３３０のシャフトに巻き取られていく。プーリ３６０もそれに従動して右回りの回転を行う。この動作により、ワイヤ３７０に固定されている投射用枠体５２０は徐々に巻き上げられて図中で上方向に回転移動する。
なお、リモコン３８０のＤＯＷＮキースイッチ３８２が押下された場合、モータ３３０は、上述した回転とは逆の回転を行い、投射用枠体５２０は図中で下方向に回転移動する。
このようにして、角度調整部３００は動作し、投射用枠体５２０の角度調整を行なう。
【００４７】
上述した、第３実施形態によれば、第１実施形態での効果に加えて、以下の効果が得られる。
（１）本実施形態のスクリーン２によれば、角度調整部３００でスクリーン本体５００（投射用枠体５２０）の設置する角度を調整することにより、ユーザの所望する位置（見易い位置）にスクリーン本体５００（投射用枠体５２０）の角度を調整することができるため、投射用枠体５２０に投射させる映像をユーザに対して見易くさせることができ、スクリーン２の利便性を向上させることができる。
【００４８】
（２）本実施形態のスクリーン２によれば、角度調整部３００は、リモコン３８０の操作でスクリーン本体５００（投射用枠体５２０）の設置する角度を調整できるため、ユーザは、椅子などに座ったまま、リモコン３８０を操作することで、自分の所望する最適な位置にスクリーン本体５００の角度を調整できる。
【００４９】
（３）本実施形態のスクリーン２によれば、角度調整部３００はモータ３３０を有し、そのモータ３３０が回動するという簡易な構成で、角度調整が行なえる。
（第４実施形態）
【００５０】
図６は、本発明の第４実施形態に係るスクリーンの概略側面図である。なお、本実施形態のスクリーン３は、前述した第１実施形態でのスクリーン１の設置に必要な基本的な構成は同様である。本実施形態の異なる箇所は、固定部材６００が伸縮自在ではないこと、また、落下防止部材として、弾性を有するゴム部材３５を使用していることである。
【００５１】
図６を参照してスクリーン３の構成を説明する。
本実施形態の固定部材６００は、予めスクリーン本体１００の面部１００Ｂに取り付けられる。固定部材６００は、伸縮自在ではなく、長さは固定されている。詳細には、固定部材６００は、円柱形状をなす支柱６０１とその両端にフランジ６０２，６０３が形成されている。一方のフランジ６０２はスクリーン本体１００の面部１００Ｂに固定され、他方のフランジ６０３は天井５０に当接させる。
【００５２】
なお、ゴム部材３５は、弾性を有して環状に形成されており、このゴム部材３５をスクリーン本体１００の面部１００Ｂに取り付けたフック部材６０と天井５０に取り付けたフック部材２０との双方のフック部材２０，６０に引掛ける。ゴム部材３５は、第１実施形態と同様にスクリーン本体１００の四隅のコーナ部内側４ヶ所に設置している。ゴム部材３５をフック部材２０，６０に引掛けることにより、ゴムの弾性力（引っ張り力）により、固定部材６００のフランジ６０３が天井５０に所定の押圧力を有して当接することで、スクリーン本体１００が天井５０に設置され固定される。なお、ゴム部材３５の自由長は、固定部材６００の長さより短く、フック部材２０，６０に引掛けた場合に固定部材６００が天井５０を押圧する力およびスクリーン本体１００の固定力を考え合わせて設定している。
【００５３】
上述した、第４実施形態によれば以下の効果が得られる。
（１）本実施形態のスクリーン３によれば、固定部材６００の長さが固定されている場合であっても、落下防止部材に弾性を有して、伸縮するゴム部材３５を使用することにより、スクリーン本体１００を天井５０に固定できる。従って、このような簡易な構成で、スクリーン本体１００を安全で確実に天井５０に設置することが可能となる。
【００５４】
（２）また、本実施形態のスクリーン３によれば、第１実施形態と同様に、スクリーン本体１００の取付け部材となるフック部材２０、ゴム部材３５、固定部材６００が、スクリーン本体１００の下方向に位置するユーザには見え難いため、見栄えが良いスクリーン３を提供することができる。
（第５実施形態）
【００５５】
図７は、本発明の第５実施形態に係るスクリーン組立用キットが収容された梱包物の概略斜視図である。また、図７は、スクリーン組立用キットが収容された梱包物７００を展開した概略展開図を示す。図７を参照して、梱包物７００の構成を説明する。
【００５６】
梱包物７００は、スクリーン組立用キットと、スクリーン組立用キットを収容する専用梱包箱７１０と、緩衝部材７２０とで構成されている。スクリーン組立用キットは、スクリーン本体１００と、スクリーン本体１００に予め固定されるフック部材４０と、鎖３０と、固定部材２００とを有する。また、スクリーン組立用キットは、フック部材２０を有する。なお、スクリーン組立用キットは、スクリーン１を組立てる手順を記載した組立て手順書８０なども有している。
【００５７】
専用梱包箱７１０は、段ボール製の下収容箱７１１と上収容箱７１２とを有して構成される。また、緩衝部材７２０は、段ボール製の下緩衝部材７２１と上緩衝部材７２２とを有して構成される。なお、緩衝部材７２０は、発砲樹脂材料やパルプモールド材料を使用して形成しても良い。
【００５８】
スクリーン組立用キットのスクリーン本体１００に取り付けられた鎖３０は、取り付けられた状態で、各々包装袋で包装される。また、スクリーン本体１００に取り付けられた固定部材２００（固定部材２００は、第１部材２１０に第２部材２２０が螺合した状態となっている。）も取り付けられた状態で、各々包装袋で包装される。その後、鎖３０や固定部材２００を含めて、スクリーン本体１００の全体が包装袋で包装される。また、フック部材２０は、まとめて、包装袋で包装される。そして、組立て手順書８０などの書類関係もまとめて包装袋で包装される。
【００５９】
梱包物７００の組立て方法を説明する。
下緩衝部材７２１は、スクリーン組立用キットを収容するために、スクリーン組立用キットを構成する各々の部材の外形に対応させて部材毎に、へこみを有する収容部が形成されている。この下緩衝部材７２１は、下収容箱７１１の底面に収容される。そして、包装袋で包装された各々のスクリーン組立用キットを下緩衝部材７２１の各々の収容部に収容する。次に、スクリーン組立用キットが下緩衝部材７２１に収容された上方から、上緩衝部材７２２をスクリーン組立用キットを覆うようにスクリーン組立用キットの上に載置する。なお、上緩衝部材７２２は、スクリーン本体１００から突出する形態となる固定部材２００を逃げて収容するため、固定部材２００に相対する部位に孔部７２２Ａが４つ形成されており、この孔部７２２Ａに、固定部材２００が貫通するように上緩衝部材７２２を載置する。そして最後に、その上から上収容箱７１２をかぶせて、下収容箱７１１と係合させる。これにより、スクリーン組立用キットを収容する梱包物７００が完成する。
【００６０】
上述した、第５実施形態によれば以下の効果が得られる。
（１）本実施形態のスクリーン組立用キットを収容する梱包物７００によれば、ユーザは、この梱包物７００により、スクリーン本体１００をはじめ、スクリーン１の組立てに必要な部材が一式揃うため、ユーザは、直ちにスクリーン１の設置作業が行なえる。また、自分の好みの場所に、簡単にスクリーン本体１００を設置することができる。
【００６１】
（２）本実施形態の梱包物７００によれば、スクリーン組立用キットを一式に揃えることができる。また、各収容部にスクリーン組立用キットを構成する各部材を収容できるため、運搬や輸送などにおける振動や落下などの衝撃に対しても安全であり、各部材の品質を維持することができる。
【００６２】
なお、本発明は、上述した実施形態に限定されず、種々の変更や改良などを加えることが可能である。変形例を以下に述べる。
【００６３】
（変形例１）前記実施形態における固定部材２００，６００は、スクリーン本体１００，５００の四隅のコーナ部に各々１つ（合計４つ）使用しているが、これに限らず、スクリーン本体１００，５００の中央部側に２つ使用しても良い。なお、スクリーン本体１００を天井５０に確実に固定するための固定部材は、適宜必要な個数を決めることができる。
【００６４】
（変形例２）前記実施形態において、スクリーン１，２，３は、設置面として天井５０に設置されている。しかし、天井５０ではなくても、ユーザの上部方向で、スクリーン１，２，３を設置できる平面を有する部材が室内に構成されている場合などにおいては、その部材を天井とみなして、スクリーン１，２，３を設置しても良く、同様の効果を奏することができる。
【００６５】
（変形例３）前記第１実施形態における固定部材２００は第１部材２１０と第２部材２２０とを螺合させることにより、固定部材２００を伸縮自在としている。しかし、これに限らず、第１部材２１０と第２部材２２０とのうち、一方の部材に、ストッパ機構を構成し、互いをスライドさせ、適切な位置に合せた後、ストッパ機構により、互いを固定させることも可能である。
【００６６】
（変形例４）前記第３実施形態において、投射用枠体５２０の回動は、モータ３３０を用いて、モータ３３０の回転でワイヤ３７０を巻き上げや巻き下げを行うことで可能としている。しかし、角度調整部として軸支部５３０にギヤを有する輪列機構を追加し、その輪列機構をモータが駆動することにより、ワイヤ３７０やプーリ３６０を用いることなく、投射用枠体５２０を固定用枠体５１０に対して回動させることも可能である。この構成により、見栄えも更に向上する。
【００６７】
（変形例５）前記第４実施形態において、落下防止部材として、弾性を有するゴム部材３５を使用している。しかし、これに限らず、弾性部材であるなら使用することができる。例えば、コイルバネなどを用いることもできる。
【００６８】
（変形例６）前記第５実施形態におけるスクリーン組立用キットにおいて、スクリーン本体１００に予め取り付けられている固定部材２００の第１部材２１０に螺合して第２部材２２０が設置されているが、第２部材２２０は、第１部材２１０から外して、下緩衝部材７２１に別に収容される形態とすることもできる。
【００６９】
なお、本発明を実施するための最良の形態を、上記記載で開示しているが、本発明は、これに限定されるものではない。すなわち、本発明は、主に特定の実施形態に関して図示し、かつ、説明しているが、本発明の要旨から逸脱することなく、上述した実施形態に対し、詳細な構成部材や、構成部材の形状・材質・数量などにおいて、当業者が様々な変形（変更ならびに改良）を加えることができるものである。従って、詳細な構成部材や、構成部材の形状・材質・数量などにおいて、当業者が様々な変形を加えることにより実施する場合も本発明に含まれるものである。
【図面の簡単な説明】
【００７０】
【図１】本発明の第１実施形態に係るスクリーンの概略側面図。
【図２】スクリーンを天井側から見た部分的な概略斜視図。
【図３】本発明の第２実施形態に係るスクリーンの概略斜視図。
【図４】本発明の第３実施形態に係るスクリーンの概略側面図。
【図５】スクリーンの回路ブロック図。
【図６】本発明の第４実施形態に係るスクリーンの概略側面図。
【図７】本発明の第５実施形態に係るスクリーン組立用キットが収容された梱包物の概略斜視図。
【符号の説明】
【００７１】
１，２，３…スクリーン、２０，４０，６０…フック部材、３０…鎖、３５…ゴム部材、５０…天井、５５…照明装置、１００，５００…スクリーン本体、１００Ａ…投射面、１００Ｂ…面部、１７０…遮光部、１７１…ヒンジ部、１７２…遮光板、２００，６００…固定部材、２１０…第１部材、２２０…第２部材、３００…角度調整部、７００…梱包物。
【図１】
2008058577.tif 000003
【図２】
2008058577.tif 000004
【図３】
2008058577.tif 000005
【図４】
2008058577.tif 000006
【図５】
2008058577.tif 000007
【図６】
2008058577.tif 000008
【図７】
2008058577.tif 000009